(57)【要約】【課題】臭気成分の捕集効率が高く、脱臭性能の高い脱臭フィルターを提供することを目的とする。【解決手段】格子に沿って端部をカットした第一のネット板１ａに活性炭粒子３ａを添着した脱臭ネット６ａと、格子の中間に沿って端部をカットした第二のネット板１ｂに活性炭粒子３ａを添着した脱臭ネット６ｂを、端辺を合わせて交互に複数枚重ねることで、隣接する脱臭ネット６ａと脱臭ネット６ｂがずれて配置され、一方の開口部４と他方の活性炭粒子３ａが互いに重なるように積層して構成されることにより、臭気成分を含む気流は、活性炭粒子３ａの周りを通過することになり、臭気成分の捕集効率が高まり、脱臭性能の高い脱臭フィルターが得られる。【選択図】図７
2008188380.tif 000002
【特許請求の範囲】
【請求項１】
合成樹脂製の線材を交差して重ねて設けた格子形状のネット板と、前記ネット板の前記線材にチップ形状の活性炭粒子を接着手段により添着した脱臭ネットと、前記活性炭粒子を添着した前記線材間に形成される開口部を有し、複数枚の前記脱臭ネットをずらして配置し、前記開口部と前記活性炭粒子が互いに重なるように積層してなる脱臭フィルター。
【請求項２】
ネット板に形成される格子に沿って端部をカットした第一のネット板と、前記格子の中間に沿って端部をカットした第二のネット板とを有し、前記第一のネット板と前記第二のネット板の端部を合わせて交互に積層してなる請求項１記載の脱臭フィルター。
【請求項３】
重ねられた脱臭ネットの端部を、接着手段で接着してなる請求項１または２に記載の脱臭フィルター。
【請求項４】
脱臭ネットの表面に、活性炭粒子が添着されておらず、ネット板の表面に塗布された接着手段が露出している空白部を有し、前記空白部をそれぞれ重ね合わせることで、複数の前記脱臭ネットを接着可能とした請求項３記載の脱臭フィルター。
【請求項５】
複数枚の脱臭ネットの間に追加の活性炭粒子を挿入し、前記脱臭ネットで挟み込むことにより、前記活性炭粒子を開口部に収納可能としてなる請求項１〜４のいずれかに記載の脱臭フィルター。
【請求項６】
活性炭粒子の外形寸法を大として、脱臭ネットの開口部の通風面積を縮小してなる請求項１〜５のいずれかに記載の脱臭フィルター。
【請求項７】
複数枚の脱臭ネットの間に、活性炭素繊維よりなる脱臭シートを挿入して積層してなる請求項１〜６のいずれかに記載の脱臭フィルター。
【請求項８】
活性炭素繊維からなる線材によりネット板を形成してなる請求項１〜７のいずれかに記載の脱臭フィルター。
【請求項９】
複数枚の脱臭ネットを収納する通気性収納袋を有し、前記通気性収納袋と前記脱臭ネットを、ともに端部で接着手段により接着してなる請求項１〜８のいずれかに記載の脱臭フィルター。
【請求項１０】
通気性収納袋を、活性炭素繊維からなるシートにより形成してなる請求項９に記載の脱臭フィルター。
【発明の詳細な説明】
【技術分野】
【０００１】
本発明は、空気清浄機等にて使用され、空気を脱臭する脱臭フィルターに関する。
【背景技術】
【０００２】
従来、この種の脱臭フィルターの一例として、方形の升目を備えたネットを構成する線材に、升目の中心部に開口部を生じるように活性炭を添着し、この開口部を上下にあわせて開口部が連通するように複数枚のネットを重ねたものが知られている（例えば、特許文献１参照）。
【０００３】
以下、その脱臭フィルターについて図面を参照にしながら説明する。
【０００４】
図１４に示すように、方形の升目を備えた同一形状のネット１０１、１０１ａを構成する線材１０２の周囲のみに活性炭１０３を添着している。ここで、ネット１０１、１０１ａの中央部には開口部１０４、１０４ａが形成されるように活性炭１０３を添着している。また、ネット１０１は隣り合わせに直行する２端辺１０５ａ、１０５ｂを、棘部が無いように升目をあわせてカットしてあるものである。同様にネット１０１ａは、隣り合わせに直行する２端辺１０５ａａ、１０５ｂａを棘部が無いように升目をあわせてカットしてあるものである。２端辺１０５ａ、１０５ｂを基準として複数枚のネット１０１、１０１ａを重ねあわせ、図示しないホットメルトによって接着して固定することで、開口部１０４、１０４ａが連通する脱臭フィルター１０６を構成している。
【特許文献１】特開２００６−４３１０６号公報
【発明の開示】
【発明が解決しようとする課題】
【０００５】
このような従来の脱臭フィルターでは、複数のネット１０１、１０１ａの開口部１０４、１０４ａを連通させることで圧力損失を低く抑えることができるものの、空気中の臭気成分も開口部１０４、１０４ａを通過することになり、ワンパス当りの臭気成分の捕集効率が低くなり、脱臭性能を高めることが難しいという課題があった。
【０００６】
本発明は、このような従来の課題を解決するものであり、臭気成分の捕集効率を向上して、脱臭性能の高い脱臭フィルターを提供することを目的としている。
【課題を解決するための手段】
【０００７】
本発明の脱臭フィルターは上記目的を達成するために、合成樹脂製の線材を交差して重ねて設けた格子形状のネット板と、前記ネット板の前記線材にチップ形状の活性炭粒子を接着手段により添着した脱臭ネットと、前記活性炭粒子を添着した前記線材間に形成される開口部を有し、複数枚の前記脱臭ネットをずらして配置し、前記開口部と前記活性炭粒子が互いに重なるように積層してなるものである。
【０００８】
この手段により、臭気成分の捕集効率が高く、脱臭性能の高い脱臭フィルターが得られる。
【０００９】
また、他の手段は、ネット板に形成される格子に沿って端部をカットした第一のネット板と、前記格子の中間に沿って端部をカットした第二のネット板とを有し、前記第一のネット板と前記第二のネット板の端部を合わせて交互に積層してなるものである。
【００１０】
この手段により、ネット板の端部を合わせて確実に積層でき、ばらつき無く製造できるとともに、高い脱臭機能を確保することができる脱臭フィルターが得られる。
【００１１】
また、他の手段は、重ねられた脱臭ネットの端部を、接着手段で接着してなるものである。
【００１２】
この手段により、脱臭ネット間の位置ずれを防ぎ、空気清浄装置等の本体に収納した時に、脱臭機能を安定して発揮することができる脱臭フィルターが得られる。
【００１３】
また、他の手段は、脱臭ネットの表面に、活性炭粒子が添着されておらず、ネット板の表面に塗布された接着手段が露出している空白部を有し、前記空白部をそれぞれ重ね合わせることで、複数の前記脱臭ネットを接着可能としたものである。
【００１４】
この手段により、脱臭効率を損なうことなく、簡単かつ確実に複数のネット板の接着固定を行うことができる脱臭フィルターが得られる。
【００１５】
また、他の手段は、複数枚の脱臭ネット間に追加の活性炭粒子を挿入し、前記脱臭ネットで挟み込むことにより、前記活性炭粒子を開口部に収納可能としてなるものである。
【００１６】
この手段により、脱臭フィルターを通過する臭気成分が、追加した活性炭粒子にも接触して、脱臭性能が高い脱臭フィルターが得られる。
【００１７】
また、他の手段は、活性炭粒子の外形寸法を大として、脱臭ネットの開口部の通風面積を縮小してなるものである。
【００１８】
この手段により、脱臭フィルターを通過する臭気成分ができるだけ素通りしないようにして、活性炭との接触比率をさらに向上させ、脱臭性能が高い脱臭フィルターが得られる。
【００１９】
また、他の手段は、複数枚の脱臭ネットの間に、活性炭素繊維よりなる脱臭シートを挿入して積層してなるものである。
【００２０】
この手段により、活性炭素繊維からなる脱臭シートにより迅速に脱臭することができ、また添着した活性炭粒子がお互いに接触して破損したり脱落したりしないように、保護することができる脱臭フィルターが得られる。
【００２１】
また、他の手段は、活性炭素繊維からなる線材によりネット板を形成してなるものである。
【００２２】
この手段により、ネット板にも脱臭機能が備わり、脱臭性能を向上できるとともに、多量の活性炭粒子を保持できる強度を確保した脱臭フィルターが得られる。
【００２３】
また、他の手段は、複数枚の脱臭ネットを収納する通気性収納袋を有し、前記通気性収納袋と前記脱臭ネットを、ともに端部で接着手段により接着してなるものである。
【００２４】
この手段により、脱臭ネットと通気性収納袋の位置ずれを防ぎ、端部で接着した脱臭フィルターの端部を空気清浄装置の収納箇所に押し当てて装着することにより、空気漏れを生じることなく、脱臭機能を安定して発揮することができる脱臭フィルターが得られる。
【００２５】
また、他の手段は、通気性収納袋を、活性炭素繊維からなるシートにより形成してなるものである。
【００２６】
この手段により、活性炭素繊維よりなる通気性収納袋に脱臭性能を発揮させることにより、さらに脱臭性能の高い脱臭フィルターが得られる。
【発明の効果】
【００２７】
本発明によれば、臭気成分の捕集効率が高く、脱臭性能を高めることができるという効果のある脱臭フィルターを提供できる。
【００２８】
また、ばらつき無く製造できるとともに、高い脱臭機能を確保することができる。
【００２９】
また、脱臭ネット間の位置ずれを防ぎ、空気清浄装置等の本体に収納した時に、脱臭機能を安定して発揮することができる。
【００３０】
また、脱臭効率を損なうことなく、簡単かつ確実に複数のネット板の接着固定を行うことができる。
【００３１】
また、活性炭素繊維により迅速に脱臭することができ、さらに添着した活性炭粒子がお互いに接触して破損したり脱落したりしないように、保護することができる。
【００３２】
また、多量の活性炭粒子を保持できる強度を確保することができる。
【００３３】
また、脱臭ネットと通気性収納袋の位置ずれを防ぐことのできる。
【００３４】
また、脱臭フィルターの接着端部を空気清浄装置の収納箇所に押し当てて装着するようにして、空気漏れを生じることなく、脱臭機能を安定して発揮することができる。
【発明を実施するための最良の形態】
【００３５】
本発明の請求項１記載の発明は、合成樹脂製の線材を交差して重ねて設けた格子形状のネット板と、前記ネット板の前記線材にチップ形状の活性炭粒子を接着手段により添着した脱臭ネットと、前記活性炭粒子を添着した前記線材間に形成される開口部を有し、複数枚の前記脱臭ネットをずらして配置し、前記開口部と前記活性炭粒子が互いに重なるように積層して構成したものであり、一方の脱臭ネットの活性炭粒子が、他方の脱臭ネットの開口部に位置することで、開口部の素通りする領域を縮小できるので、臭気成分は活性炭粒子の周りを通過することになり、臭気成分の捕集効率が高まり、脱臭性能を高めることができるという作用を有する。
【００３６】
また、請求項２記載の発明は、ネット板に形成される格子に沿って端部をカットした第一のネット板と、前記格子の中間に沿って端部をカットした第二のネット板とを有し、前記第一のネット板と前記第二のネット板の端部を合わせて交互に積層して構成したものであり、２種類の脱臭ネットの端面を合わせて重ねるだけで、開口部と活性炭粒子が確実に重なる位置に積層することができ、ばらつき無く製造できるとともに、高い脱臭機能を確保することができるという作用を有する。
【００３７】
また、請求項３記載の発明は、重ねられた脱臭ネットの端部を、接着手段で接着して構成したものであり、複数枚の脱臭ネットの開口部と活性炭粒子が重なる位置で積層した状態を、接着手段により維持することができるので、組み立て時の脱臭ネット間の位置ずれを防ぎ、空気清浄装置本体に収納したときに、脱臭機能を安定して発揮することができるという作用を有する。
【００３８】
また、請求項４記載の発明は、脱臭ネットの表面に、活性炭粒子が添着されておらず、かつネット板の表面に塗布された接着手段が露出している空白部を有し、前記空白部をそれぞれ重ね合わせることで、複数の前記脱臭ネットを接着可能に構成したものであり、活性炭をネット板に添着する接着手段を用いて、複数のネット板の接着固定が簡単にできるとともに、空白部の位置をネット板の端部にもうけることにより、脱臭効率を損なうことなく、複数のネット板を確実に固定することができるという作用を有する。
【００３９】
また、請求項５記載の発明は、複数枚の脱臭ネット間に追加の活性炭粒子を挿入し、前記脱臭ネットで挟み込むことにより、前記活性炭粒子を開口部に収納可能として構成したものであり、挿入された追加の活性炭粒子は、脱臭ネット表面の狭くなった開口部に押し込まれるため、脱臭フィルターを通過する臭気成分と活性炭粒子との接触比率がさらに向上し、脱臭性能を高めることができるという作用を有する。
【００４０】
また、請求項６記載の発明は、活性炭粒子の外形寸法を大として、脱臭ネットの開口部の通風面積を縮小したものであり、脱臭ネットの開口部に配置される活性炭粒子の外形寸法が大きくなるので、脱臭フィルターを通過する臭気成分と活性炭との接触比率がさらに向上し、また個々の活性炭粒子の表面積も増加するため、脱臭性能を高めることができるという作用を有する。
【００４１】
また、請求項７記載の発明は、複数枚の脱臭ネットの間に、活性炭素繊維よりなる脱臭シートを挿入して積層して構成したものであり、活性炭素繊維は活性炭粒子より多くの微少な吸着穴を表面に有しているので、１パスでの臭気除去率が大きいが、吸着容量は短時間で飽和するため、まず活性炭素繊維により迅速に脱臭するとともに、その吸着容量が飽和したときは、臭気成分を活性炭粒子に吸着させることにより、脱臭機能を維持することができるという作用を有し、さらに脱臭シートは各脱臭ネットの間に挿入されるため、脱臭ネットに添着した活性炭粒子がお互いに接触して破損したり脱落したりしないように、保護することができるという作用を有する。
【００４２】
また、請求項８記載の発明は、活性炭素繊維からなる線材によりネット板を形成して構成したものであり、脱臭ネットは活性炭粒子のみならず、活性炭素繊維により形成されたネット板にも臭気成分を吸着するため、脱臭性能を向上させることができるとともに、活性炭素繊維により形成されたネット板は、多量の活性炭粒子を保持できる強度を確保することができるという作用を有する。
【００４３】
また、請求項９記載の発明は、複数枚の脱臭ネットを収納する通気性収納袋を有し、前記通気性収納袋と前記脱臭ネットを、ともに端部で接着手段により接着して構成したものであり、積層した複数枚の脱臭ネットと通気性収納袋とを略一体的に接着固定することができるので、脱臭ネットと通気性収納袋の位置ずれを防ぎ、さらに、ともに端部で接着しているので、脱臭フィルターの接着端部を空気清浄装置の収納箇所に押し当てて装着するようにして、端部からの空気漏れを生じることなく、脱臭機能を安定して発揮することができるという作用を有する。
【００４４】
また、請求項１０記載の発明は、通気性収納袋を、活性炭素繊維からなるシートにより形成して構成したものであり、複数枚の脱臭ネットを収納する通気性収納袋に臭気成分を吸着する機能を持たせることにより、収納される活性炭の高い脱臭機能に加えて、脱臭ネットに吸着機能が付加されるため、脱臭性能の高い脱臭フィルター提供することができるという作用を有する。
【００４５】
以下、本発明の実施の形態について図面を参照しながら説明する。
【００４６】
（実施の形態１）
図１〜図８に示すように、ネット板１は合成樹脂製の線径が０．５〜２ｍｍの線材２を格子形状に組み立てたものであり、線材２の周囲に接着手段としてのホットメルト５を用いて、４〜２０メッシュの破砕タイプの活性炭粒子３ａを添着することで、脱臭ネット６を構成している。活性炭粒子３ａを添着するネット板１は開口サイズが５〜１２ｍｍの開口部４が形成されている。
【００４７】
図３に示すように、ネット板１としては、ネット板１に形成される格子に沿って端部をカットした第一のネット板１ａと、図４に示すように、格子の中間に沿って端部をカットした第二のネット板１ｂを有している。そして、第一のネット板１ａにホットメルト５を用いて活性炭粒子３ａを添着することで、図５に示す脱臭ネット６ａを形成しており、同様に第二のネット板１ｂにホットメルト５を用いて活性炭粒子３ａを添着することで、図６に示す脱臭ネット６ｂを形成している。
【００４８】
図７と図８に示すように、脱臭ネット６ａと脱臭ネット６ｂを、端辺を合わせて交互に重ねて複数枚積層し、接着手段としてのホットメルト５を使用して、脱臭ネット６ａと脱臭ネット６ｂを、その端部において接着している。
【００４９】
上記構成において、隣接する脱臭ネット６ａ、６ｂをずらして積み重ねることにより、一方の開口部４と他方の活性炭粒子３ａが互いに重なるように積層して構成される。
【００５０】
そして、この脱臭フィルターを空気清浄装置などに搭載し使用する場合には、開口部４中心を覆うように配置された活性炭粒子３ａにより、臭気成分を含む気流は活性炭粒子３ａの周りを通過することになり、臭気成分の捕集効率が高まり、脱臭性能を高めることができることとなる。
【００５１】
また、上記のような二種類の脱臭ネット６ａと脱臭ネット６ｂを組み合わせて使用し、その端辺を合わせて交互に重ねて複数枚積層することにより、複数枚の脱臭ネット６をずらして配置するときに、開口部４の中心と活性炭粒子３ａが確実に重なる位置で容易に積層することができ、ばらつき無く製造できるとともに、高い脱臭機能を確保することができることとなる。
【００５２】
このとき、積層した複数枚の脱臭ネット６の端部を、接着手段としてのホットメルト５を使用して接着することで、複数枚の脱臭ネット６の開口部４の中心と活性炭粒子３ａが重なる位置で積層した状態を維持することができるので、脱臭ネット６間の位置ずれを防ぎ、空気清浄装置等の本体に収納したときに、脱臭機能を安定して発揮することができることとなる。
【００５３】
また、活性炭素繊維からなる線材２によりネット板１を形成して構成することで、脱臭ネット６は活性炭粒子３ａのみならず、ネット板１にも臭気成分を吸着することができるため、脱臭性能を向上させることができるとともに、活性炭素繊維からなる線材２により形成されたネット板１は、多量の活性炭粒子３ａを保持できる強度を確保することができることとなる。
【００５４】
なお、図７および図８において脱臭ネット６の枚数を２枚としているが、積層枚数は空気清浄装置等の設計条件により適宜選択できるものであり、３枚以上であってもよい。
【００５５】
なお、本実施の形態においては接着手段としてホットメルト５を使用しているが、活性炭粒子３ａを線材２に添着可能なものであれば、ホットメルト５以外の接着剤であってもよい。
【００５６】
（実施の形態２）
以下、本実施の形態以降については、先の実施の形態と同一の部分については同一番号を付し、詳細な説明は省略する。
【００５７】
図９に示すように、脱臭ネット６は、ネット板１の全表面に接着手段として塗布されるホットメルト５と、このホットメルト５によりネット板１の表面に添着される活性炭粒子３ａと、ネット板１の表面において活性炭粒子３ａの添着されない空白部７を有している。そして２枚の脱臭ネット６を重ね合わせ、お互いの空白部７で接着して固定する構成としている。
【００５８】
上記構成において、複数枚の脱臭ネット６は、それぞれの空白部７を重ね合わせることで、複数の脱臭ネット６を一体的に接着することができる。これにより、活性炭粒子３ａをネット板１に添着するホットメルト５を用いて、複数の脱臭ネット６の接着固定が簡単にできるとともに、空白部７の位置をネット板の端部に設けることで、脱臭効率を損なうことなく、複数のネット板を確実に固定することができることとなる。
【００５９】
（実施の形態３）
図１０に示すように、複数枚の脱臭ネット６の間に、活性炭粒子３ａと同一粒径の活性炭粒子３ｂを追加して挿入し、脱臭ネット６で両側から挟み込むことにより、活性炭粒子３ｂを開口部４に収納する構成としている。図７に示すように、活性炭粒子３ａが開口部４内に重なり開口部分を小さくしているので、活性炭粒子３ｂを保持できる寸法関係となっている。
【００６０】
上記構成において、挿入された追加の活性炭粒子３ｂは、脱臭ネット６の表面の狭くなった開口部４に押し込まれるため、脱臭フィルターを通過する臭気成分と活性炭粒子３ｂとの接触比率がさらに向上し、脱臭性能を高めることができることとなる。
【００６１】
（実施の形態４）
図１１に示すように、ネット板１の開口サイズを５ｍｍ程度に縮小し、このネット板１には活性炭粒子３ａよりも大粒子径のメッシュ２０〜４０の活性炭粒子３ｃが添着され、脱臭ネット６を構成する。
【００６２】
上記構成においては、脱臭ネット６の開口部４に配置される活性炭粒子３ｃの外形寸法が大きいので、脱臭ネット６の開口部４の通風面積を縮小するように構成したものである。このように構成することにより、脱臭フィルターを通過する臭気成分と活性炭との接触比率がさらに向上し、また個々の活性炭粒子３ｃの表面積も増加するため、脱臭性能を高めることができることとなる。
【００６３】
（実施の形態５）
図１２に示すように、複数枚の脱臭ネット６ａ、６ｂの間に活性炭素繊維よりなる脱臭シート８を挿入し積層している。脱臭シート８の素材となる活性炭素繊維は、一般的に活性炭より多くの微少な吸着穴を表面に有しているので、１パスでの臭気除去率を向上できるものである。
【００６４】
上記構成において、脱臭ネット６ａ、６ｂの間に設けた脱臭シート８の脱臭機能により、活性炭粒子３ａより効率よく臭気を除去して、運転の初期段階の脱臭性能を高めることができることとなる。
【００６５】
一方、脱臭シート８の吸着容量は活性炭粒子３ａに比較すると小さいため、飽和するまでの運転時間は少なくなるが、吸着容量が飽和したときは、臭気成分を活性炭粒子３ａに移行することができるとともに、脱臭シート８では処理しきれない臭気成分を活性炭粒子３ａが吸着して、脱臭機能を安定して維持できることとなる。
【００６６】
このように、活性炭素繊維により迅速に脱臭するとともに、高い脱臭機能を維持することができるものである。
【００６７】
また、脱臭シート８は脱臭ネット６ａおよび脱臭ネット６ｂの間に挿入されるため、脱臭ネット６ａおよび脱臭ネット６ｂに添着した活性炭粒子３ａが、お互いに接触して破損したり脱落したりしないように、保護することができることとなる。
【００６８】
（実施の形態６）
図１３に示すように、複数枚の脱臭ネット６ａ、６ｂを収納する通気性収納袋９を有し、通気性収納袋９と脱臭ネット６ａおよび脱臭ネット６ｂを、ともに端部で接着手段としてのホットメルト５により接着して構成するものである。通気性収納袋９の素材は目付け量を３０〜５０ｇ／ｍ２とした不織布または活性炭素繊維としている。
【００６９】
上記構成において、積層した複数枚の脱臭ネット６ａおよび脱臭ネット６ｂと、通気性収納袋９とを、ともに端部でホットメルト５により接着しているので、略一体的に接着固定することができる。これにより、脱臭ネット６ａおよび脱臭ネット６ｂと通気性収納袋９の位置ずれを防ぐことができる。さらに、ともに端部で接着しているので、脱臭フィルターの接着端部を空気清浄装置等の収納箇所に押し当てて装着するようにして、空気漏れを生じることなく、脱臭機能を安定して発揮することができるものである。
【００７０】
また、通気性収納袋９を活性炭素繊維からなるシートを袋状に加工した場合は、脱臭ネットを収納する通気性収納袋９に臭気成分を吸着する機能を持たせることができ、収納される脱臭ネット６ａおよび脱臭ネット６ｂに設けた活性炭粒子３ａの高い脱臭機能に加えて、さらなる吸着機能が付加されるため、脱臭性能の高い脱臭フィルターを提供することができるものである。
【産業上の利用可能性】
【００７１】
本発明に係る脱臭フィルターは、脱臭ネットの開口部を通過する臭気成分を含む気流が、活性炭粒子の周りを通過できることにより、臭気成分の捕集効率が高まり、脱臭性能を高めることができるという効果を有し、空気清浄機、脱臭機をはじめとして、他の空気調和装置の用途にも幅広く適用できる。
【図面の簡単な説明】
【００７２】
【図１】本発明の脱臭フィルターの実施の形態１の要部平面図
【図２】同線材に活性炭粒子を付着した状態を示す要部断面図
【図３】同第一のネット板の要部平面図
【図４】同第二のネット板の要部平面図
【図５】同第一のネット板を用いて構成した脱臭ネットの要部平面図
【図６】同第二のネット板を用いて構成した脱臭ネットの要部平面図
【図７】同脱臭ネットを重ねた状態を示す要部平面図
【図８】同脱臭ネットを重ねた状態を示す要部断面図
【図９】同実施の形態２の脱臭ネットの要部断面図
【図１０】同実施の形態３の脱臭ネットの要部平面図
【図１１】同実施の形態４の脱臭ネットの要部平面図
【図１２】同実施の形態５の脱臭シートを挿入時の要部断面図
【図１３】同実施の形態６の通気性収納袋を用いたときの要部断面図
【図１４】従来の脱臭フィルターの要部平面図
【符号の説明】
【００７３】
１    ネット板
１ａ  第一のネット板
１ｂ  第二のネット板
２    線材
３ａ  活性炭粒子
３ｂ  活性炭粒子
３ｃ  活性炭粒子
４    開口部
５    ホットメルト
６    脱臭ネット
６ａ  脱臭ネット
６ｂ  脱臭ネット
７    空白部
８    脱臭シート
９    通気性収納袋
【図１】
2008188380.tif 000003
【図２】
2008188380.tif 000004
【図３】
2008188380.tif 000005
【図４】
2008188380.tif 000006
【図５】
2008188380.tif 000007
【図６】
2008188380.tif 000008
【図７】
2008188380.tif 000009
【図８】
2008188380.tif 000010
【図９】
2008188380.tif 000011
【図１０】
2008188380.tif 000012
【図１１】
2008188380.tif 000013
【図１２】
2008188380.tif 000014
【図１３】
2008188380.tif 000015
【図１４】
2008188380.tif 000016